(57)【要約】    【課題】  接続されている周辺装置との接続が切断されたと誤判断することをなくすことができ、接続されている周辺装置との中断されたアクセスをレジューム後に自動的に再開させることができるインタフェース回路及びそのインタフェース回路を使用したシステム装置を得る。    【解決手段】  メモリカードスロット１１に接続されたメモリカード１０の種類を識別するカード識別回路部１２を備え、リーダ／ライタ１内のカード識別回路部１２で、接続されたメモリカード１０を識別するようにし、レジューム後のドライバが、接続されているメモリカード１０との接続が切断されたと誤判断することをなくし、接続されているメモリカード１０との中断されたアクセスをレジューム後に自動的に再開させるようにした。【選択図】  図１
2006209643.tif 000002
【特許請求の範囲】
【請求項１】
ホスト装置と該ホスト装置によって動作制御される周辺装置との間のインタフェースを行うインタフェース回路において、
前記周辺装置が接続される接続部と、
同一信号線を使用して、所定の方法で該接続部に接続された前記周辺装置の識別を行う識別回路部と、
接続される周辺装置ごとに設けられ、該識別回路部の識別結果に応じて排他的に、接続された周辺装置と前記ホスト装置とのインタフェースを行う各インタフェース回路部と、
を備え、
前記識別回路部は、周辺装置が接続されると該接続された周辺装置の識別を行い、該接続された周辺装置に対応する前記インタフェース回路部に対してのみ対応する周辺装置が接続されたことを伝え、該インタフェース回路部は、前記ホスト装置に対して対応する周辺装置が接続されたことを伝えることを特徴とするインタフェース回路。
【請求項２】
前記ホスト装置は、接続される周辺装置ごとに対応するドライバを有し、対応するドライバを使用して接続された周辺装置の動作制御を行うことを特徴とする請求項１記載のインタフェース回路。
【請求項３】
前記周辺装置は、メモリカードであることを特徴とする請求項１又は２記載のインタフェース回路。
【請求項４】
前記メモリカードは、ＳＤカード、ＳＤＩＯカード及びＭＭＣカードであることを特徴とする請求項３記載のインタフェース回路。
【請求項５】
ホスト装置と、
該ホスト装置によって動作制御される周辺装置と、
前記ホスト装置と該周辺装置との間のインタフェースを行うインタフェース回路と、
を有するシステム装置において、
前記インタフェース回路は、
前記周辺装置が接続される接続部と、
同一信号線を使用して、所定の方法で該接続部に接続された前記周辺装置の識別を行う識別回路部と、
接続される周辺装置ごとに設けられ、該識別回路部の識別結果に応じて排他的に、接続された周辺装置と前記ホスト装置とのインタフェースを行う各インタフェース回路部と、
を備え、
前記識別回路部は、周辺装置が接続されると該接続された周辺装置の識別を行い、該接続された周辺装置に対応する前記インタフェース回路部に対してのみ対応する周辺装置が接続されたことを伝え、該インタフェース回路部は、前記ホスト装置に対して対応する周辺装置が接続されたことを伝えることを特徴とするシステム装置。
【請求項６】
前記ホスト装置は、接続される周辺装置ごとに対応するドライバを有し、対応するドライバを使用して接続された周辺装置の動作制御を行うことを特徴とする請求項５記載のシステム装置。
【請求項７】
前記周辺装置は、メモリカードであることを特徴とする請求項５又は６記載のシステム装置。
【請求項８】
前記メモリカードは、ＳＤカード、ＳＤＩＯカード及びＭＭＣカードであることを特徴とする請求項７記載のシステム装置。
【発明の詳細な説明】
【技術分野】
【０００１】
本発明は、ホスト装置と所定の機能を有する周辺装置とのインタフェースを行うインタフェース回路及びそのインタフェース回路を使用したシステム装置に関し、特に、ＳＤ（Secure Digital）カード（商標）やＭＭＣ（Multi Media Card）カード（商標）等のメモリカードと、パーソナルコンピュータやデジタルカメラやプリンタ等のホスト装置とのインタフェースを行うメモリカードのリーダ／ライタ等のようなインタフェース回路及びそのインタフェース回路を使用したシステム装置に関する。
【背景技術】
【０００２】
従来、形状に互換性のある複数の種類のＩＣカードにおいて、該ＩＣカードが接続されたことを示すＩＣカード検出信号では、物理的にＩＣカードの種類を認識することができないという問題があった。このようなＩＣカードをサポートするための１つの方法として、図４で示すように、ＩＣカードコントローラ１０１内に各種類のＩＣカード１１０に対する共通の共用インタフェース回路部１１２を実装し、かつ各種類のＩＣカード１１０に対して共通して使用することができる共用ドライバ１０４を用意する方法があった。なお、図４では、１０２はバスを、１１１はＩＣカードスロットを示している。
【０００３】
しかし、各種類のＩＣカード１１０に共通のドライバを開発することができるとは限らなかった。例えば、パーソナルコンピュータ（以下、ＰＣと呼ぶ）分野においては、ＳＤカードとＭＭＣカードは形状に互換性があるにも関わらず、個別のドライバを提供しなければならないという制約があった。このような理由から、ＩＣカードコントローラはＩＣカードごとに個別のインタフェース回路を実装し、かつＩＣカードごとにドライバを用意して、接続されたＩＣカードの種類を見極める処理を行う必要があり、従来は、このようなドライバによって、接続されたＩＣカードの種類の識別を行っていた。
【０００４】
図５は、このようなドライバによってＩＣカードの種類の識別を行うようにした従来例を示しており、メモリカードとのインタフェースを行うインタフェース回路であるリーダ／ライタを例にして示したブロック図である。なお、図５では、ＳＤカード、ＳＤＩＯ（SD Input/Output）カード（商標）及びＭＭＣカードのリーダ／ライタがＰＣＩバスを使用してパーソナルコンピュータ（以下、ＰＣと呼ぶ）に接続される場合を例にして示している（例えば、非特許文献１及び非特許文献２参照。）。
図５において、メモリカードのリーダ／ライタ１２１は、ＰＣＩバス１２２を介してＰＣからなるホスト装置１２３に接続されている。
リーダ／ライタ１２１のメモリカードスロット１３１には、ＳＤカード、ＳＤＩＯカード又はＭＭＣカードのいずれかがメモリカード１３０として挿入され接続される。メモリカード１３０がメモリカードスロット１３１に挿入され接続されると、ＭＭＣインタフェース回路部１３２がメモリカードスロット１３１にメモリカード１３０が接続されたことを認識する。このときは、まだメモリカード１３０の種類は特定できていない。
【０００５】
ＭＭＣインタフェース回路部１３２は、ＰＣＩインタフェース回路部１３４とＰＣＩバス１２２を介してホスト装置１２３に対して割り込みを発生させ、ホスト装置１２３内のＭＭＣドライバ１２４は、ＭＭＣインタフェース回路部１３２からの割り込みステータスビットを確認し、メモリカードスロット１３１にメモリカード１３０が接続されたことを認識する。この後、ＭＭＣドライバ１２４は、メモリカードスロット１３１に接続されたメモリカード１３０を識別するシーケンスを開始する。
【０００６】
ここで、メモリカードスロット１３１に接続されたメモリカード１３０がＳＤカード又はＳＤＩＯカードである場合、ＭＭＣドライバ１２４は、ＰＣＩバス１２２及びＰＣＩインタフェース回路部１３４を介してＭＭＣインタフェース回路部１３２内にＳＤカード挿入ビットを書き込む。次に、ＭＭＣインタフェース回路部１３２は、ＳＤインタフェース回路部１３３に対してＳＤカード又はＳＤＩＯカードがメモリカードスロット１３１に接続されたことを伝え、ＳＤインタフェース回路部１３３は、ＰＣＩバスインタフェース回路部１３４とＰＣＩバス１２２を介してホスト装置１２３に対して割り込みを発生させ、ホスト装置１２３内のＳＤドライバ１２５は、ＳＤインタフェース回路部１３３からの割り込みステータスビットを確認し、メモリカードスロット１３１にメモリカード１３０が接続されたことを認識する。この後、ＳＤドライバ１０５は、メモリカードスロット１３１に接続されたメモリカード１３０に対する識別シーケンスを開始し、該メモリカード１３０を識別した後、ＰＣＩバス１２２、ＰＣＩインタフェース回路部１３４及びＳＤインタフェース回路部１３３を介して、メモリカード１３０に対して必要なときにアクセスを行う。
【０００７】
一方、メモリカードスロット１３１に接続されたメモリカード１３０がＭＭＣカードである場合、ＭＭＣドライバ１２４は、メモリカードスロット１３１に接続されたメモリカード１３０に対する識別シーケンスを開始し、該メモリカード１３０を識別した後、ＰＣＩバス１２２、ＰＣＩインタフェース回路部１３４及びＭＭＣインタフェース回路部１３２を介して、メモリカード１３０に対して必要なときにアクセスを行う。
【０００８】
なお、ＳＤカードとＭＭＣカードのどちらを使用するかを示す内部制御信号の極性をマスクオプションやボンディングオプション等で切り替えられるようにした半導体集積回路があった（例えば、特許文献１参照。）。
【非特許文献１】岡田浩人、他１名，「マルチメディアカード＆ＳＤカードインタフェースの設計」，インタフェース２００１年１０月号
【非特許文献２】落合則宏、他１名，「マルチメディアカード＆ＳＤカードインタフェースの設計」，インタフェース２００１年１２月号
【特許文献１】特開２００４−１０２７５５号公報
【発明の開示】
【発明が解決しようとする課題】
【０００９】
しかし、図５のような構成のリーダ／ライタでは、ＳＤカードだけを使用する場合でも、ホスト装置１２３にＭＭＣドライバ１２４とＳＤドライバ１２５の両方がインストールされていないと、ＳＤカードに対応することができなかった。また、ＳＤカードをメモリカードスロット１３１に接続した状態でホスト装置１２３がサスペンドモードに入り、そのままレジュームを行うと、ホスト装置１２３は、電源が切られることによってＭＭＣドライバ１２４及びＳＤドライバ１２５は初期状態に戻ってしまう。このため、ＳＤドライバ１２５は、ＳＤカードがメモリカードスロット１３１から抜けてしまったと判断し、例えば、ＳＤカードにデータ転送を行っているときにホスト装置１２３がサスペンドに入ると、レジューム後にデータ転送エラーになってＳＤカードへのデータ転送が自動的に再開されないといった不具合が生じていた。
【００１０】
本発明は、上記のような問題を解決するためになされたものであり、所定の機能を有する周辺装置、例えばメモリカードとのインタフェースを行うインタフェース回路内で、ホスト装置に接続された周辺装置を識別するようにして、レジューム後のドライバが、接続されている周辺装置との接続が切断されたと誤判断することをなくすことができるインタフェース回路及びそのインタフェース回路を使用したシステム装置を得ることを目的とする。
【課題を解決するための手段】
【００１１】
この発明に係るインタフェース回路は、ホスト装置と該ホスト装置によって動作制御される周辺装置との間のインタフェースを行うインタフェース回路において、
前記周辺装置が接続される接続部と、
同一信号線を使用して、所定の方法で該接続部に接続された前記周辺装置の識別を行う識別回路部と、
接続される周辺装置ごとに設けられ、該識別回路部の識別結果に応じて排他的に、接続された周辺装置と前記ホスト装置とのインタフェースを行う各インタフェース回路部と、
を備え、
前記識別回路部は、周辺装置が接続されると該接続された周辺装置の識別を行い、該接続された周辺装置に対応する前記インタフェース回路部に対してのみ対応する周辺装置が接続されたことを伝え、該インタフェース回路部は、前記ホスト装置に対して対応する周辺装置が接続されたことを伝えるものである。
【００１２】
また、前記ホスト装置は、接続される周辺装置ごとに対応するドライバを有し、対応するドライバを使用して接続された周辺装置の動作制御を行うようにした。
【００１３】
具体的には、前記周辺装置は、メモリカードであり、例えば該メモリカードは、ＳＤカード、ＳＤＩＯカード及びＭＭＣカードである。
【００１４】
また、この発明に係るシステム装置は、ホスト装置と、
該ホスト装置によって動作制御される周辺装置と、
前記ホスト装置と該周辺装置との間のインタフェースを行うインタフェース回路と、
を有するシステム装置において、
前記インタフェース回路は、
前記周辺装置が接続される接続部と、
同一信号線を使用して、所定の方法で該接続部に接続された前記周辺装置の識別を行う識別回路部と、
接続される周辺装置ごとに設けられ、該識別回路部の識別結果に応じて排他的に、接続された周辺装置と前記ホスト装置とのインタフェースを行う各インタフェース回路部と、
を備え、
前記識別回路部は、周辺装置が接続されると該接続された周辺装置の識別を行い、該接続された周辺装置に対応する前記インタフェース回路部に対してのみ対応する周辺装置が接続されたことを伝え、該インタフェース回路部は、前記ホスト装置に対して対応する周辺装置が接続されたことを伝えるものである。
【００１５】
また、前記ホスト装置は、接続される周辺装置ごとに対応するドライバを有し、対応するドライバを使用して接続された周辺装置の動作制御を行うようにした。
【００１６】
具体的には、前記周辺装置は、メモリカードであり、例えば該メモリカードは、ＳＤカード、ＳＤＩＯカード及びＭＭＣカードである。
【発明の効果】
【００１７】
本発明のインタフェース回路及びそのインタフェース回路を使用したシステム装置によれば、ホスト装置におけるサスペンド・レジューム動作で、レジューム後、ホスト装置のオペレーティングシステムが起動する前に接続された周辺装置の識別を完了することができるため、ホスト装置が、レジューム後、周辺装置が一端抜かれたと誤判断することをなくすことができ、レジューム後のデータ転送を自動的に再開することができる。また、ハードウェアによって周辺装置の識別を行うことによって、周辺装置をドライブするドライバの新規開発を不要にすることができる。
【発明を実施するための最良の形態】
【００１８】
次に、図面に示す実施の形態に基づいて、本発明を詳細に説明する。
第１の実施の形態．
図１は、本発明の第１の実施の形態におけるインタフェース回路の構成例を示したブロック図であり、図１では、周辺装置であるＳＤカードやＭＭＣカードに対するインタフェース回路をなすリーダ／ライタがＰＣＩバスを介してホスト装置であるＰＣに接続される場合を例にして示している。なお、ＳＤカードには、ＳＤＩＯカードも含むものとする。
図１において、メモリカードのリーダ／ライタ１は、ＰＣＩバス２を介してＰＣからなるホスト装置３に接続されている。ホスト装置３には、ＭＭＣカードをドライブするためのＭＭＣドライバ４と、ＳＤカードをドライブするためのＳＤドライバ５がインストールされている。
【００１９】
リーダ／ライタ１は、メモリカード１０としてＳＤカードやＭＭＣカードが挿入されて接続されるメモリカードスロット１１と、メモリカードスロット１１に接続されたメモリカード１０の種類を識別するカード識別回路部１２と、メモリカードスロット１１に接続されたＭＭＣカードとのインタフェースを行うＭＭＣインタフェース回路部１３と、メモリカードスロット１１に接続されたＳＤカードとのインタフェースを行うＳＤインタフェース回路部１４と、ＰＣＩバス２とのインタフェースを行うＰＣＩインタフェース回路部１５とを備えている。
【００２０】
メモリカードスロット１１は、カード識別回路部１２に接続され、ＭＭＣインタフェース回路部１３及びＳＤインタフェース回路部１４は、カード識別回路部１２に接続されている。ＭＭＣインタフェース回路部１３及びＳＤインタフェース回路部１４は、それぞれＰＣＩインタフェース回路部１５に接続され、ＰＣＩインタフェース回路部１５は、ＰＣＩバス２を介してホスト装置３に接続されている。なお、メモリカード１０は周辺装置を、メモリカードスロット１１は接続部を、カード識別回路部１２は識別回路部をそれぞれなし、ＭＭＣインタフェース回路１３とＰＣＩインタフェース回路部１５、及びＳＤインタフェース回路１４とＰＣＩインタフェース回路部１５はそれぞれインタフェース回路部をなす。
【００２１】
このような構成において、メモリカードスロット１１には、ＳＤカード又はＭＭＣカードのいずれかがメモリカード１０として挿入され接続される。メモリカード１０がメモリカードスロット１１に挿入され接続されると、カード識別回路部１２は、カードが接続されたことを認識し、接続されたカードの識別シーケンスを開始する。カード識別回路部１２は、メモリカードスロット１１に接続されたメモリカードがＭＭＣカードであった場合は、ＭＭＣインタフェース回路部１３に、メモリカードスロット１１にメモリカードが接続されたことを伝える。
【００２２】
ＭＭＣインタフェース回路部１３は、ＰＣＩバスインタフェース回路部１５とＰＣＩバス２を介してホスト装置３に対して割り込みを発生させ、ホスト装置３内のＭＭＣドライバ４は、ＭＭＣインタフェース回路部１３からの割り込みステータスビットを確認し、メモリカードスロット１１にメモリカード１０が接続されたことを認識する。この後、ＭＭＣドライバ４は、メモリカードスロット１１に接続されたメモリカード１０を識別するシーケンスを開始し、該メモリカード１０を識別した後、ＰＣＩバス２、ＰＣＩインタフェース回路部１５、ＭＭＣインタフェース回路部１３及びカード識別回路部１２を介して、メモリカード１０に対して必要なときにアクセスを行う。
【００２３】
カード識別回路部１２は、メモリカードスロット１１に接続されたメモリカードがＳＤカードであった場合は、ＳＤインタフェース回路部１４に、メモリカードスロット１１にカードが接続されたことを伝える。ＳＤインタフェース回路部１４は、ＰＣＩバスインタフェース回路部１５とＰＣＩバス２を介してホスト装置３に対して割り込みを発生させ、ホスト装置３内のＳＤドライバ５は、ＳＤインタフェース回路部１４からの割り込みステータスビットを確認し、メモリカードスロット１１にメモリカード１０が接続されたことを認識する。この後、ＳＤドライバ５は、メモリカードスロット１１に接続されたメモリカード１０を識別するシーケンスを開始し、該メモリカード１０を識別した後、ＰＣＩバス２、ＰＣＩインタフェース回路部１５、ＳＤインタフェース回路部１４及びカード識別回路部１２を介して、メモリカード１０に対して必要なときにアクセスを行う。
【００２４】
図２は、メモリカードスロット１１にメモリカード１０が接続されたときの図１の各部の動作例を示したフローチャートである。
図２において、メモリカードスロット１１にメモリカード１０が接続されると、メモリカードスロット１１からカード識別回路部１２にメモリカード１０が接続されたことを示す信号が出力され（ステップＳ１）、カード識別回路部１２は、接続されたメモリカードの識別シーケンスを開始する（ステップＳ２）。次に、カード識別回路部１２は、接続されたメモリカードの種類の認識を行って接続されたメモリカードがＳＤカードである否かを調べ（ステップＳ３）、ＳＤカードであった場合は（ＹＥＳ）、ＳＤインタフェース回路部１４に対してのみメモリカードスロット１１にカードが接続されたことを伝える（ステップＳ４）。
【００２５】
ＳＤインタフェース回路部１４は、ＰＣＩバスインタフェース回路部１５とＰＣＩバス２を介してホスト装置３に対してＳＤカードが接続されたことを伝える割り込みを発生させ（ステップＳ５）、ホスト装置３内のＳＤドライバ５は、ＳＤインタフェース回路部１４からの割り込みステータスビットを確認し、メモリカードスロット１１にメモリカード１０が接続されたことを認識する（ステップＳ６）。この後、ＳＤドライバ５は、メモリカードスロット１１に接続されたメモリカード１０を識別するシーケンスを開始し（ステップＳ７）、該メモリカード１０を識別した後、ＰＣＩバス２、ＰＣＩインタフェース回路部１５、ＳＤインタフェース回路部１４及びカード識別回路部１２を介して、メモリカード１０に対して必要なときにアクセスを行う（ステップＳ８）。
【００２６】
一方、ステップＳ３で、ＭＭＣカードであった場合は（ＮＯ）、ＭＭＣインタフェース回路部１３に対してのみメモリカードスロット１１にカードが接続されたことを伝える（ステップＳ９）。ＭＭＣインタフェース回路部１３は、ＰＣＩインタフェース回路部１５とＰＣＩバス２を介してホスト装置３に対してＭＭＣカードが接続されたことを伝える割り込みを発生させ（ステップＳ１０）、ホスト装置３内のＭＭＣドライバ４は、ＭＭＣインタフェース回路部１３からの割り込みステータスビットを確認し、メモリカードスロット１１にメモリカード１０が接続されたことを認識する（ステップＳ１１）。この後、ＭＭＣドライバ４は、メモリカードスロット１１に接続されたメモリカード１０を識別するシーケンスを開始し（ステップＳ１２）、該メモリカード１０を識別した後、ＰＣＩバス２、ＰＣＩインタフェース回路部１５、ＭＭＣインタフェース回路部１３及びカード識別回路部１２を介して、メモリカード１０に対して必要なときにアクセスを行う（ステップＳ１３）。
【００２７】
次に、図３は、メモリカードスロット１１にメモリカード１０が接続された状態でホスト装置３が、サスペンド動作が行われその後レジューム動作が行われて起動する際の動作例を示したフローチャートである。
図３において、ホスト装置３は、レジューム動作が行って起動し図１のリーダ／ライタ１に電源を供給して（ステップＳ２１）、図２のステップＳ１〜Ｓ４の処理、又はステップＳ１〜Ｓ３，Ｓ９の処理を行った（ステップＳ２２）後、ホスト装置３は、オペレーティングシステムの起動を行う（ステップＳ２３）。
【００２８】
次に、ＭＭＣドライバ４及びＳＤドライバ５は、所定の初期化処理を行い（ステップＳ２４）、サスペンド時にカード識別回路１２によって識別されていたメモリカード１０の種類に対応するドライバ、例えば識別されていたメモリカード１０がＳＤカードであった場合はＳＤドライバ５が、識別されていたメモリカード１０がＭＭＣカードであった場合はＭＭＣドライバ４が、メモリカードスロット１１に接続されたメモリカード１０を識別するシーケンスを開始する（ステップＳ２５）。この後、ＭＭＣドライバ４及びＳＤドライバ５は、初期化処理を終了して（ステップＳ２６）、本フローは終了する。
【００２９】
このように、本第１の実施の形態におけるインタフェース回路をなすリーダ／ライタ１は、メモリカードスロット１１に接続されたメモリカード１０の種類を識別するカード識別回路部１２を備え、リーダ／ライタ１内のカード識別回路部１２で、接続されたメモリカード１０を識別するようにして、レジューム後のドライバが、接続されているメモリカード１０との接続が切断されたと誤判断することをなくすことができ、接続されているメモリカード１０との中断されたアクセスをレジューム後に自動的に再開させることができると共に、カード識別回路部１２によって、接続されたメモリカード１０の識別を行うことにより、メモリカード１０をドライブするドライバの新規開発を不要にすることができる。
【００３０】
なお、前記第１の実施の形態では、メモリカードとしてＳＤカード及びＭＭＣカードを使用する場合を例にして説明したが、これは一例であり、本発明はこれに限定するものではなく、メモリカードしてメモリスティック（商標）、スマートメディア（商標）、ｘＤ  Ｐｉｃｔｕｒｅ  カード（商標）、スマートカード、Ｃｏｍｐａｃｔ  Ｆｌａｓｈ（商標）、３２ビットＰＣカード（商標）、１６ビットＰＣカード  Ｅｘｐｒｅｓｓカード（商標）等がある。
【００３１】
また、前記第１の実施の形態では、メモリカードに対するインタフェース回路をなすリーダ／ライタを例にして説明したが、これは一例であり、本発明はこれに限定するものではなく、ホスト装置と、メモリカード、通信カード及びＬＡＮカード等のＩＣカードといった周辺装置とのインタフェースを行うインタフェース回路に適用するものである。また、前記第１の実施の形態では、ＰＣＩバスを使用した場合を例にして説明したが、これは一例であり、本発明はこれに限定するものではなく、ＰＣＩバスの代わりにＵＳＢ等のバスを使用してもよい。
【図面の簡単な説明】
【００３２】
【図１】本発明の第１の実施の形態におけるインタフェース回路の構成例を示したブロック図である。
【図２】メモリカードスロット１１にメモリカード１０が接続されたときの図１の各部の動作例を示したフローチャートである。
【図３】メモリカード１０が接続された状態のホスト装置３が、サスペンド後のレジューム動作により起動する際の動作例を示したフローチャートである。
【図４】従来のインタフェース回路の構成例を示したブロック図である。
【図５】従来のリーダ／ライタの構成例を示したブロック図である。
【符号の説明】
【００３３】
１  リーダ／ライタ
２  ＰＣＩバス
３  ホスト装置
４  ＭＭＣドライバ
５  ＳＤドライバ
１０  メモリカード
１１  メモリカードスロット
１２  カード識別回路部
１３  ＭＭＣインタフェース回路部
１４  ＳＤインタフェース回路部
１５  ＰＣＩインタフェース回路部
【図１】
2006209643.tif 000003
【図２】
2006209643.tif 000004
【図３】
2006209643.tif 000005
【図４】
2006209643.tif 000006
【図５】
2006209643.tif 000007